(57)【特許請求の範囲】
【請求項１】
格子体と取付ブラケットとプロテクターを備え、この取付ブラケットを固着部材で外壁の室外面に取付け、前記取付ブラケットにプロテクターを、固着部材の頭部と離隔した仮止め姿勢と、固着部材の頭部をカバーするカバー姿勢とに亘って移動自在に設け、
そのプロテクターをカバー姿勢で取付ブラケットに固着具で取付け、
このプロテクターを取付ける固着具は、取付ブラケットの内側面から外側面に向けてプロテクターに螺合している面格子であって、
前記取付ブラケットは、本体部と面格子取付部と外壁取付部を有する形状で、その本体部には上下方向の長孔と一対の支持部を有し、外壁取付部には挿通孔と支持部を有し、
プロテクターは、固着部材の頭部と対向する中間プレートと前記一対の支持部で支持される一側プレートと前記支持部で支持される他側プレートを有するほぼコ字形状で、この一側プレートが前記長孔を挿通した固着具で本体部に固定されるようにしたことを特徴とする面格子。
【発明の詳細な説明】
【０００１】
【発明の属する技術分野】
本発明は、建物の外壁に取付けられる面格子に関する。
【０００２】
【従来の技術】
従来一般的に知られている面格子は、格子体と、この格子体に設けた取付ブラケットを備え、その取付ブラケットを建物の外壁にボルトで固定することで取付ける形状である。
【０００３】
【発明が解決しようとする課題】
面格子は、外壁に形成した窓開口部から室外の人が室内に侵入するすることを防止するもので、その面格子は室外から容易に取り外しできないことが防犯上重要である。
他方、面格子の取付け作業性、つまり施工性を良くするために、前述の取付ブラケットを室外からボルトで外壁に固定することが行われている。
このように、室外からボルトを外壁に螺合して取付ブラケットを外壁に固定すると、そのボルトの頭部が室外に露出してしまう。
よって、室外の人がボルトの頭部を目視でき、室外から室内に侵入しようとする人（以下侵入者という）にとって視覚的にボルトを取り外し容易であると感じられる可能性があり、防犯の面から好ましくない。
【０００４】
本発明は、前述の課題に鑑みなされたもので、その目的は施工性が良いと共に、防犯の面から好ましい面格子を提供することを目的とする。
【０００５】
【課題を解決するための手段】
本発明は、格子体と取付ブラケットとプロテクターを備え、この取付ブラケットを固着部材で外壁の室外面に取付け、前記取付ブラケットにプロテクターを、固着部材の頭部と離隔した仮止め姿勢と、固着部材の頭部をカバーするカバー姿勢とに亘って移動自在に設け、
そのプロテクターをカバー姿勢で取付ブラケットに固着具で取付け、
このプロテクターを取付ける固着具は、取付ブラケットの内側面から外側面に向けてプロテクターに螺合している面格子であって、
前記取付ブラケットは、本体部と面格子取付部と外壁取付部を有する形状で、その本体部には上下方向の長孔と一対の支持部を有し、外壁取付部には挿通孔と支持部を有し、
プロテクターは、固着部材の頭部と対向する中間プレートと前記一対の支持部で支持される一側プレートと前記支持部で支持される他側プレートを有するほぼコ字形状で、この一側プレートが前記長孔を挿通した固着具で本体部に固定されるようにしたことを特徴とする面格子である。
【００１０】
【作用】
本発明によれば、面格子を取付ける際にはプロテクターを仮止め姿勢とすることで、取付ブラケットを室外から固着部材によって外壁に固着できるから、固着部材によって面格子を従来と同様にして取付けできる。
面格子を取付けた後にプロテクターをカバー姿勢として固着具で固定することで、固着部材の頭部をカバーできるから、固着部材の頭部が室外から見づらくなるので、侵入者が固着部材の頭部を容易に目視できないから、侵入者によって取り外し難い。
したがって、施工性が良いと共に、侵入者にとって取り外し難く、防犯上好ましい面格子である。
【００１１】
また、プロテクターを取付ける固着具が室外から見づらいし、その固着具を室外から弛め操作しづらい。
したがって、侵入者がプロテクターの存在を知り、そのプロテクターを取り外ししようとした場合に、そのプロテクターを取り外しするには時間がかかり、侵入者が面格子を取り外しするには長い時間がかかるので、防犯上好ましい。
【００１２】
また、固着具を弛めることでプロテクターは長孔に沿って下方に移動すると共に、ほぼ上向きコ字形状となって仮止め姿勢となる。
固着具を長孔に沿って上方に移動すると共に、プロテクターを９０度回転することでカバー姿勢となる。
したがって、プロテクターを仮止め姿勢とカバー姿勢とに亘って容易に移動できる。
また、プロテクターが仮止め姿勢の時に一側プレートが一対の支持部で支持され、他側プレートが支持部で支持されるので、固着具を締付ける際にプロテクターを手で押える必要がなく、その作業が容易である。
【００１３】
【発明の実施の形態】
図１に示すように、建物の外壁１に窓開口部２が形成してある。この外壁１の室外面１ａにおける窓開口部２の周縁部、例えば左右の縦縁部に面格子３が取付けてある。
この面格子３は格子体４と取付ブラケット５を備えている。この取付ブラケット５は格子体４の外側部、例えば左右縦部にそれぞれ設けてある。
前記格子体４は、上枠６と下枠７と左右の縦枠８を方形枠組みした枠体９と、この枠体９に取付けた複数の格子１０で形成され、その左右の縦枠８が前述の左右の縦部である。なお、格子体４は前述の形状に限ることはないし、取付ブラケット６は上枠６、下枠７（格子体４の上下横部）に設けても良い。
【００１４】
図２と図３に示すように、前記窓開口部２にはサッシ枠１１が取付けられ、そのサッシ枠１１に内障子１２と外障子１３が引き違いに建て込まれて引き違いサッシを形成している。
この実施の形態では、外壁１はコンクリート製であって、サッシ枠１１は外壁１の窓開口部２の内周面にアンカー１４で固着してあるが、外壁１が木製の場合には釘などで固着する。
【００１５】
前記取付ブラケット５は本体部５ａと、この本体部５ａの室外側に設けた面格子取付部５ｂと、本体部５ａの室内側に設けた外壁取付部５ｃを備え、その面格子取付部５ｂと外壁取付部５ｃは室内外側方向に離隔している。
前記面格子取付部５ｂが縦枠８の室内面８ａに接し、ビス１５で固定してある。このビス１５は室内側から室外側に向けて螺合され、室外から弛め操作しづらいと共に、室外から見えづらい。
前記外壁取付部５ｃは外壁１の室外面１ａに接し、固着部材、例えばボルト１６で固定してある。このボルト１６は埋め込みボルトである。
前記固着部材は外壁１が木造の場合には釘、木ネジなどを用いる。
【００１６】
前記各取付ブラケット５にはプロテクター１７が着脱自在に取付けてあり、このプロテクター１７でボルト１６の頭部１６ａをカバーして室外からまっすぐに見た時に見えないようにしてある。つまり、室外から見えにくいようにしてある。
前記プロテクター１７は取付ブラケット５の外側面に固着具、例えばビス１８で固着してある。そのビス１８は取付ブラケット５の内側面から外側面に向けて螺合され、そのビス１８は室外から見えづらい。固着具としてはボルト・ナット、テクスビスなどを用いても良い。
【００１７】
次に、前記取付ブラケット５とプロテクター１７の具体形状の一例を説明する。
前記取付ブラケット５は図４に示すように、中間板２０と一側板２１と他側板２２で略クランク形状で、中間板２０が本体部５ａ、一側板２１が面格子取付部５ｂ、他側板２１が外壁取付部５ｃである。
前記中間板２０には上下方向に長い長孔２３と上下一対の支持部、例えば上下一対の打ち出し突起２４が形成してある。この突起２４は長孔２３の長手方向中間部に位置し、かつ中間板２０の外側面よりも突出している。
前記一側板２１には一対の取付孔２５が形成され、この取付孔２５に前記ビス１５が挿通する。この取付孔２５は長孔である。
前記他側板２２には挿通孔２６が形成され、この挿通孔２６に前記ボルト１６が挿通する。
この他側板２２には支持部が形成してある。例えば他側板２２の中間板２０と連続した側縁と反対側縁に切欠凹部２７が形成されている。この切欠凹部２７は前記挿通孔２６と対向する位置に形成してある。
【００１８】
前記プロテクター１７は図４に示すように、中間プレート３０と、この中間プレート３０の一側部に一体的に設けた一側プレート３１と、中間プレート３０の他側部に一体的に設けた他側プレート３２で平面ほぼコ字形状である。例えば一枚の板材を折り曲げ加工してある。
前記中間プレート３０の幅はボルト１６の頭部１６ａの直径とほぼ同一で、一側プレート３１は前記一対の突起２４間に嵌合して支持される幅で、他側プレート３２は前記切欠凹部２７に嵌合して支持される幅である。
前記一側プレート３１にはビス孔３３が形成してある。
【００１９】
次に、面格子の取付け手順を説明する。
格子体４に取付ブラケット５をそれぞれ取付け、この各取付ブラケット５にプロテクター１７をビス１８で仮止めする。
具体的には、図５に示すように長孔２３からビス１８をビス孔３３に螺合して仮止めする。実際には、工場などの組立現場において取付ブラケット５にプロテクター１７をビス１８で強固に取付けして取付け現場まで運搬し、取付け現場においてビス１８を弛めて前述のようにする。
この状態では、プロテクター１７が、その重心によって上向きコ字形状の姿勢となると共に、ビス１８が長孔２３の最下部となってプロテクター１７は下方位置となる。これによって、プロテクター１７はボルト１６の頭部１６ａと離隔した仮止め姿勢となる。
このようであるから、プロテクター１７が仮止め姿勢であると、そのプロテクター１７は挿通孔２６（ボルト１６の頭部１６ａ）と離隔し、ボルト１６を挿通孔２６に挿通する時にプロテクター１７が邪魔にならない。
したがって、従来と同様にボルト１６を螺合して取付ブラケット５を取付けでき、施工性が良い。
【００２０】
取付ブラケット５を外壁１の室外面１ａに取付けしたら、プロテクター１７をビス１８を中心として９０度回転させながら長孔２３に沿って上方に移動する。
そして、一側プレート３１を一対の突起２４間に嵌合すると共に、他側プレート３２を切欠凹部２７に嵌合してプロテクター１７をボルト１６の頭部１６ａと対向してカバーするカバー姿勢に保持する。
この状態でビス１８を締付けてプロテクター１７を強固に固定する。
【００２１】
前述のようにして面格子を取付けることで、図２、図６に示すようにボルト１６の頭部１６ａがプロテクター１７でカバーされ、室外から頭部１６ａが見えにくくなる。
また、一側プレート３１が一対の突起２４間に嵌合し、他側プレート３２が切欠凹部２７に嵌合しているから、プロテクター１７はビス１８を中心として回転できない。
【００２２】
また、ボルト１６の頭部１６ａとプロテクター１７（中間プレート３０）との間にはボルト挿通方向の隙間Ｓがあるが、この隙間Ｓはボルト１６の有効螺合長さよりも小さい。
よって、プロテクター１７の上下方向（外壁１の室外面１ａと平行方向）からスパナをボルト１６の頭部１６ａに嵌め込んでボルト１６を弛め操作した場合に、ある程度ボルト１６を弛めると頭部１６ａがプロテクター１７（中間プレート３０）に干渉し、それ以上弛めることができないので、面格子を取り外しできない。
【００２３】
また、例えば窓開口部２から物を運搬するために面格子を取り外しする場合には、ビス１８を弛めてプロテクター１７の一側プレート３１、他側プレート３２を一対の突起２４、切欠凹部２７から離脱すると、プロテクター１７は重心によって上向きコ字状に自然に回転すると同時に長孔２３に沿って下方に移動して図５に示す仮止め時の姿勢となる。
この状態でボルト１６を弛めて取付ブラケット５を取り外しすることで面格子を取り外しできる。
このようであるから、プロテクター１７を簡単に仮止め時の姿勢にできる。
【００２６】
【発明の効果】
請求項１に係る発明によれば、面格子を取付ける際にはプロテクターを仮止め姿勢とすることで、取付ブラケットを室外から固着部材によって外壁に固着できるから、固着部材によって面格子を従来と同様にして取付けできる。
面格子を取付けた後にプロテクターをカバー姿勢として固着具で固定することで、固着部材の頭部をカバーできるから、固着部材の頭部が室外から見づらくなるので、侵入者が固着部材の頭部を容易に目視できないから、侵入者によって取り外し難い。
したがって、施工性が良いと共に、侵入者にとって取り外し難く、防犯上好ましい面格子である。
【００２７】
また、プロテクターを取付ける固着具が室外から見づらいし、その固着具を室外から弛め操作しづらい。
したがって、侵入者がプロテクターの存在を知り、そのプロテクターを取り外ししようとした場合に、そのプロテクターを取り外しするには時間がかかり、侵入者が面格子を取り外しするには長い時間がかかるので、防犯上好ましい。
【００２８】
また、固着具を弛めることでプロテクターは長孔に沿って下方に移動すると共に、ほぼ上向きコ字形状となって仮止め姿勢となる。
固着具を長孔に沿って上方に移動すると共に、プロテクターを９０度回転することでカバー姿勢となる。
したがって、プロテクターを仮止め姿勢とカバー姿勢とに亘って容易に移動できる。
また、プロテクターが仮止め姿勢の時に一側プレートが一対の支持部で支持され、他側プレートが支持部で支持されるので、固着具を締付ける際にプロテクターを手で押える必要がなく、その作業が容易である。
【図面の簡単な説明】
【図１】  面格子の取付け状態の外観図である。
【図２】  図１の横断面図である。
【図３】  図１の縦断面図である。
【図４】  取付ブラケットとプロテクターの斜視図である。
【図５】  プロテクターを仮止めした状態の斜視図である。
【図６】  プロテクターを取付けた状態の斜視図である。
【符号の説明】
１…外壁、１ａ…室外面、２…窓開口部、３…面格子、４格子体、５…取付ブラケット、５ａ…本体部、５ｂ…面格子取付部、５ｃ…外壁取付部、１６…ボルト（固着部材）、１６ａ…頭部、１７…プロテクター、１８…ビス（固着具）、２０…中間板、２１…一側板、２２…他側板、２３…長孔、２４…突起（支持部）、２６…挿通孔、２７…切欠凹部（支持部）、３０…中間プレート、３１…一側プレート、３２…他側プレート。
【図１】
0003760344.tif 000002
【図２】
0003760344.tif 000003
【図３】
0003760344.tif 000004
【図４】
0003760344.tif 000005
【図５】
0003760344.tif 000006
【図６】
0003760344.tif 000007